【事件の表示】
　平成１１年特許願第２４４１８５号「スロットマシン」拒絶査定不服審判事件〔平成１３年　３月１３日出願公開、特開２００１−　６２０３９〕について、次のとおり審決する。
【結　論】
　本件審判の請求は、成り立たない。
【理　由】
１．手続の経緯
　本願は、平成１１年８月３１日の特許出願であって、平成１４年６月１２日付けで拒絶査定がなされ、これに対し、同年７月２２日に拒絶査定に対する審判請求がなされるとともに、同年８月２１日付けで手続補正がなされたものである。
　　　　　　　　　　　　　　　　　　　　　　　　　　　　　　　　　
２．平成１４年８月２１日付けの手続補正（以下、「本件補正」という。）について
　　　　　　　　　　　　　　　　　　　　　　　　　　　　　　　　　
［補正却下の決定の結論］
　平成１４年８月２１日付けの手続補正を却下する。
　　　　　　　　　　　　　　　　　　　　　　　　　　　　　　　　　
［理由］
　本件補正により、特許請求の範囲の請求項１は、
「筐体と、
　外周面に複数の図柄を表示した回転リールを有すると共に前記筐体に固定されるリールユニットと、
　前記リールユニットの駆動を開始させるためのスタートスイッチと、
　前記リールユニットの駆動を停止させるためのストップスイッチと、
　前記スタートスイッチ及び前記ストップスイッチの操作により、前記回転リールの回転及び停止を制御するための遊技制御装置とを備えるようにしたスロットマシンにおいて、
　前記遊技制御装置は、前記回転リールの回転速度を変更するためのリール回転速度制御手段を備え、
　所定の条件によりスタートスイッチ操作後の前記回転リールの回転速度を変更可能に形成すると共に、
　回転速度の変更の有無に係わらず、ストップスイッチの操作から回転リールの回転停止までの時間を一定時間とし、
　かつ前記遊技制御装置は、入賞か否かの抽選を行う入賞抽選手段を備え、
　前記入賞抽選手段による抽選結果が前記入賞である場合に入賞フラグが成立し、前記入賞フラグ成立中に、前記リールユニットの前記回転リールの停止図柄の組合せが、予め定められた所定の入賞図柄と一致したことを条件に遊技者に利益を付与するように設定し、
　前記入賞フラグ成立を条件として、前記回転リールの回転速度を変更可能に形成したことを特徴とするスロットマシン。」
と補正された。
　上記補正は、請求項１に記載した発明を特定するために必要な事項である「回転リールの回転速度」について「スタートスイッチ操作後の」の限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。　　　　　　　　　　　　　　　　　　　　　　　　　　　　　　　　　　　　
（１）引用発明                                   
　原査定の拒絶の理由に引用された、本願の出願前に頒布された刊行物、及び拒絶の査定において例示された周知例（以下、「周知例１」という。）は以下のとおりである。
引用刊行物　　　　　　　　　　　　　　　　　　　　　　　　　　　　
　刊行物１：特開平１１−１６４９３８号公報　　　　　　　　　　　　
　刊行物２：実願昭５８−１２２３３８号（実開昭６０−３０２８４号）の　　　　　　願書に添付した明細書及び図面の内容を撮影したマイクロフィ　　　　　　ルム　　　　　　　　　　　　　　　　　　　　　　　　
　周知例１：特開平１１−１９７２９４号公報　　　　　　　　　　　　
　　　　　　　　　　　　　　　　　　　　　　　　　　　　　　　　　
(１-1) 刊行物１（特開平１１−１６４９３８号公報）
　刊行物１（特開平１１−１６４９３８号公報）には次の記載がある。
1-a「・・・スロットマシン１０は、縦長の箱形筐体１１の正面中央部に、第１〜第３のストップボタン１２ａ、１２ｂ、１２ｃを、またこれらの左横にレバー型のスタートスイッチ１３を備えている。第１〜第３のストップボタン１２ａ、１２ｂ、１２ｃの上方には、前面パネル１４が設けられ、当該前面パネル１４の中央部分には、透明なガラス板をはめ込んだ観察窓１５ａ、１５ｂ、１５ｃが設けられている。
　各観察窓１５ａ、１５ｂ、１５ｃの裏面には、円筒形状を成した第１〜第３のドラム３０ａ、３０ｂ、３０ｃが同軸状に隣接して横方向に配置され、回動可能に支持されている。第１〜第３のドラム３０ａ、３０ｂ、３０ｃの外周面には・・・図柄が略一定間隔に描かれている。」（段落【００１４】【００１５】）
1-b「・・・制御部４０は、スロットマシン１０の各種の動作を統括制御する回路部分であり、ＣＰＵ（中央処理装置）、ＲＯＭ（リード・オン・メモリ）、ＲＡＭ（ランダム・アクセス・メモリ）等を主要部とした回路で構成されている。・・・
　また制御部４０には、第１〜第３のドラム３０ａ、３０ｂ、３０ｃを回転駆動するための第１〜第３のパルスモータ３１ａ、３１ｂ、３１ｃが・・・接続されている。・・・」（段落【００１８】【００１９】）
1-c「制御部４０は、スロットマシン１０における遊技状態を設定変更する遊技状態設定部４３と、第１〜第３のパルスモータ３１ａ、３１ｂ、３１ｃの回転速度や停止位置を制御するための回転速度制御部４４とを有している。遊技状態設定部４３は、特別遊技状態に移行するための当選パターンが出現し得る当選可能状態と、当選パターンが出現しないよう設定された当選不可状態とに遊技状態を切り替える回路部分である。遊技状態設定部４３は図示しない、乱数発生器等を備えており、所定の出現確率で当選可能状態を出現させるようになっている。
　回転速度制御部４４は、第１〜第３のパルスモータ３１ａ、３１ｂ、３１ｃを駆動するための駆動パルスを生成する回路部分であり、生成する駆動パルスの周期を変更することで、各パルスモータ３１ａ、３１ｂ、３１ｃの回転速度を制御するようになっている。」（段落【００２０】【００２１】）
1-d「回転速度制御部４４は、遊技状態設定部４３によって設定された遊技状態が当選可能状態のとき、遊技状態が当選不可状態のときに比べて、第１〜第３のドラム３０ａ、３０ｂ、３０ｃの回転速度を遅くする。
　第１〜第３のドラム３０ａ、３０ｂ、３０ｃの回転速度が遅くなったことによって、遊技者は、今、当選パターンの出現し得る当選可能状態にあることを知ることができ、この機会に目押しすることで当選パターンを出現させて、ボーナスゲームを獲得することができる。・・・」（段落【００２９】【００３０】）
1-e「なお、当選可能状態にあるとき、当初からドラムの回転速度を遅くしてもよいし、回転開始後、次第に回転速度を低下させてもよい。たとえば、ストップスイッチが押下されて１つずつドラムが停止するたびに、未だ停止していない残りのドラムの回転速度を低下させるようにしてもよい。」（段落【００３３】）
  上記の記載より、刊行物１には以下の発明（以下、「引用発明１」という。）が記載されていると認められる。
「スロットマシン１０の縦長の箱形筐体１１の正面中央部に、第１〜第３のストップボタン１２ａ、１２ｂ、１２ｃを、またこれらの左横にレバー型のスタートスイッチ１３を備え、第１〜第３のストップボタン１２ａ、１２ｂ、１２ｃの上方には、前面パネル１４が設けられ、当該前面パネル１４の中央部分には、透明なガラス板をはめ込んだ観察窓１５ａ、１５ｂ、１５ｃが設けられており、各観察窓１５ａ、１５ｂ、１５ｃの裏面には、円筒形状を成し、外周面に図柄が略一定間隔に描かれた第１〜第３のドラム３０ａ、３０ｂ、３０ｃが同軸状に隣接して横方向に配置され、回動可能に支持されており、ＣＰＵ（中央処理装置）、ＲＯＭ（リード・オン・メモリ）、ＲＡＭ（ランダム・アクセス・メモリ）等を主要部とした制御部４０には、第１〜第３のドラム３０ａ、３０ｂ、３０ｃを回転駆動するための第１〜第３のパルスモータ３１ａ、３１ｂ、３１ｃが接続され、また該制御部４０は、スロットマシン１０における遊技状態を設定変更する遊技状態設定部４３と、第１〜第３のパルスモータ３１ａ、３１ｂ、３１ｃの回転速度や停止位置を制御するための回転速度制御部４４とを有しており、遊技状態設定部４３は、特別遊技状態に移行するための当選パターンが出現し得る当選可能状態と、当選パターンが出現しないよう設定された当選不可状態とに遊技状態を切り替える回路部分であり、乱数発生器等を備えていて、所定の出現確率で当選可能状態を出現させるようになっており、回転速度制御部４４は、第１〜第３のパルスモータ３１ａ、３１ｂ、３１ｃを駆動するための駆動パルスを生成する回路部分であり、生成する駆動パルスの周期を変更することで、各パルスモータ３１ａ、３１ｂ、３１ｃの回転速度を制御するようになっており、回転速度制御部４４は、遊技状態設定部４３によって設定された遊技状態が当選可能状態のとき、遊技状態が当選不可状態のときに比べて、第１〜第３のドラム３０ａ、３０ｂ、３０ｃの回転速度を遅くするものであり、第１〜第３のドラム３０ａ、３０ｂ、３０ｃの回転速度が遅くなったことによって、遊技者は、目押しをすることができるようにしたものであり、当選可能状態にあるとき、当初からドラムの回転速度を遅くしてもよいし、回転開始後、次第に回転速度を低下させてもよく、たとえば、ストップスイッチが押下されて１つずつドラムが停止するたびに、未だ停止していない残りのドラムの回転速度を低下させるようにしてもよい、スロットマシン。」
　　　　　　　　　　　　　　　　　　　　　　　　　　　　　　　　　
(１-2) 刊行物２（実願昭５８−１２２３３８号（実開昭６０−３０２８４　　　　　　　　 号）の願書に添付した明細書及び図面の内容を撮影した 　　　　　　　　 マイクロフィルム）　　　　　　　　　　　　　　　　
　刊行物２（実願昭５８−１２２３３８号（実開昭６０−３０２８４号）の願書に添付した明細書及び図面の内容を撮影したマイクロフィルム）には次の記載がある。
2-a「外周に複数種類の図柄を表示した複数のリールをステッピングモータにより回転駆動すると共に各リールを停止ボタンにより停止させるスロットマシーンにおいて、本体ケースの外面に任意の速度指令信号を発信する速度コントロール手段を配する一方、この速度指令信号に基きステッピングモータを駆動するパルスの単位時間当たりのパルス数を制御する制御装置を設けたことを特徴とするスロットマシーン。」（実用新案登録請求の範囲）
2-b「スロットマシーンの本体ケース４前面に配されているコントロールレバー１２は、その摺動操作によりすでに任意の位置に設定されており、これに連動する可変抵抗の抵抗値を任意の値に設定している。この抵抗値は電圧値又は電流値に変換され、速度指令信号rとしてステッピングモータ回路９に送られる。」（第３頁第１１−１７行）
2-c「ステッピングモータ回路９は入力制御回路、分配回路を備えており、・・・各ステッピングモータ３、３、３に駆動パルスＳ、Ｓ、Ｓを供給し、且つこれら駆動パルスＳ、Ｓ、Ｓは前記速度指令信号rに応じた単位時間当たりのパルス数に設定される。」（第３頁第１８行−第４頁第４行）
2-d「以上のようにしてステッピングモータ３、３、３は単位時間当たりのパルス数によって定められた速度で回転し、リール１、１、１を前記速度で回転駆動する。この際リール１の回転速度は５段階程度に選択されるように構成すると好適である。」（第４頁第５−１０行）
 上記の記載より、刊行物２には以下の発明（以下、「引用発明２」という。）が記載されていると認められる。
「外周に複数種類の図柄を表示した複数のリール１、１、１をステッピングモータ３、３、３により回転駆動すると共に各リール１を停止ボタンにより停止させるスロットマシーンにおいて、本体ケース４前面に配されているコントロールレバー１２は、その摺動操作によりすでに任意の位置に設定されており、これに連動する可変抵抗の抵抗値を任意の値に設定していて、この抵抗値は電圧値又は電流値に変換され、速度指令信号rとしてステッピングモータ回路９に送られ、ステッピングモータ回路９は入力制御回路、分配回路を備えており、各ステッピングモータ３、３、３に駆動パルスＳ、Ｓ、Ｓを供給し、且つこれら駆動パルスＳ、Ｓ、Ｓは前記速度指令信号rに応じた単位時間当たりのパルス数に設定され、ステッピングモータ３、３、３は単位時間当たりのパルス数によって定められた速度で回転し、リール１、１、１を前記速度で回転駆動するもので、この際リール１の回転速度は５段階程度に選択されるように構成すると好適な、スロットマシーン。」
　　　　　　　　　　　　　　　　　　　　　　　　　　　　　　　　　
(１-3) 周知例１（特開平１１−１９７２９４号）
　回胴停止時間は短い程、遊技者がストップボタン操作により回胴の停止を行っているという実感を持つことができ、無用に長いとこの実感が失われボタン操作が無意味に感ぜられるので、回胴停止時間には最長時間が決められており、また回胴の定常回転速度も、高速であると遊技者が図柄を全く認識できず、低速であると停止操作が簡単になり過ぎるため、図柄をある程度認識でき、かつ停止操作が簡単にならない適当な回転速度が概ね決まっており、従来の例では回胴の定常回転速度は８０rpmであり、回胴停止時間の最長時間は０．２secである（以上、段落【０００８】−【００１０】）ことを踏まえ、回胴の定常回転速度および停止最長時間を変えずに、停止指示手段の操作時点から回胴を停止するまでの間に、一時的に回転速度を高速回転に変化させて、停止可能な図柄のコマ数を変えることで入賞ライン上に出現できる図柄の数を多くし、また、回転速度を一時的に低速回転に変化させることもできるようにした、回胴式遊技装置。（以上、特許請求の範囲、段落【００１７】、【００６６】）
　　　　　　　　　　　　　　　　　　　　　　　　　　　　　　　　　
（２）対比
　本願補正発明と引用発明１とを対比すると、両者はともにスロットマシンであって、引用発明１における「箱形筐体１１」は本願補正発明における「筐体」に対応し、同様に「外周面に図柄が略一定間隔に描かれたドラム」は「外周面に複数の図柄を表示した回転リール」に、「第１〜第３のドラム３０ａ、３０ｂ、３０ｃ」は「リールユニット」に、「スタートスイッチ１３」はその機能に照らすと「リールユニットの駆動を開始させるためのスタートスイッチ」に、「第１〜第３のストップボタン１２ａ、１２ｂ、１２ｃ」は「リールユニットの駆動を停止させるためのストップスイッチ」に、それぞれ対応しており、さらに引用発明１について次のことがいえる。
(i) 引用発明１における「（外周面に図柄が略一定間隔に描かれた）第１〜第３のドラム３０ａ、３０ｂ、３０ｃ」（本願補正発明における「（外周面に複数の図柄を表示した）リールユニット」に対応する。）は、「箱形筐体１１」（本願補正発明における「筐体」に対応する。）に「同軸状に隣接して横方向に配置され、回動可能に支持され」るものであるから、上記「箱形筐体１１」（「筐体」）に固定されるものであるということができる。
　そうすると、同引用発明１は、本願補正発明を特定する「外周面に複数の図柄を表示した回転リールを有すると共に前記筐体に固定されるリールユニット」の事項に対応する構成を備えているといえる。
(ii) 引用発明１が備える「制御部４０」は、「第１〜第３のパルスモータ３１ａ、３１ｂ、３１ｃの回転速度や停止位置を制御するための回転速度制御部４４」を「有しており」、「スタートスイッチ１３」（本願補正発明における「スタートスイッチ」に対応する。）及び「ストップボタン１２ａ、１２ｂ、１２ｃ」（本願補正発明における「ストップスイッチ」に対応する。）が操作されると、上記「回転速度制御部４４」を介して「ドラム」（「回転リール」）の回転及び停止を制御するものであり、引用発明１における上記「制御部４０」は、本願補正発明における「遊技制御装置」に対応するものであるということができるとともに、同引用発明１は、本願補正発明を特定する「前記スタートスイッチ及び前記ストップスイッチの操作により、前記回転リールの回転及び停止を制御するための遊技制御装置」の事項に対応する構成を備えているといえる。
(iii) (ii)に記載したように、引用発明１における「制御部４０」は、本願補正発明における「遊技制御装置」に対応するものである。そして上記「制御部４０」が備える「回転速度制御部４４」は、「遊技状態設定部４３によって設定された遊技状態が当選可能状態のとき、遊技状態が当選不可状態のときに比べて、第１〜第３のドラム３０ａ、３０ｂ、３０ｃの回転速度を遅くする」制御を行うものである。
　一方、本願補正発明における「遊技制御装置」が備える「リール回転速度制御手段」は、「回転リールの回転速度を変更する」制御を行うものであり、該「回転リールの回転速度を変更する」制御は、「回転リールの回転速度」を遅くする制御をも包含する広義の技術概念であって、引用発明１において「回転速度制御部４４」が行う、「第１〜第３のドラム３０ａ、３０ｂ、３０ｃの回転速度を遅くする」制御を包含する技術概念である。
　そうすると、本願補正発明と引用発明１とは、「遊技制御装置（引用発明１における「制御部４０」が対応する。）は、前記回転リール（引用発明１における「ドラム」が対応する。）の回転速度を変更するためのリール回転速度制御手段を備え」ている点で共通しているといえる。
(iv) 引用発明１において、「回転速度制御部４４」が行う「第１〜第３のドラム３０ａ、３０ｂ、３０ｃの回転速度を遅くする」制御は、「当選可能状態にあるとき、当初からドラムの回転速度を遅くしてもよいし、回転開始後、次第に回転速度を低下させてもよ」いものであり、いずれにしても、「回転開始後」すなわち、「スタートスイッチ１３」（本願補正発明における「スタートスイッチ」に対応する。）」の操作後に行われるものであることが明らかである。そして、上記(iii)に記載したように、「回転速度を遅くする」制御は、「回転速度」を「変更する」制御に包含される技術概念であるから、本願補正発明と引用発明１とは、「スタートスイッチ操作後の回転リール（ドラム）の回転速度を変更」する点で共通しているといえる。
(v) 引用発明１において、「遊技状態設定部４３は、特別遊技状態に移行するための当選パターンが出現し得る当選可能状態と、当選パターンが出現しないよう設定された当選不可状態とに遊技状態を切り替える回路部分であり、乱数発生器等を備えていて、所定の出現確率で当選可能状態を出現させる」ものであり、「特別遊技状態に移行するための当選パターンが出現し得る当選可能状態」は、「乱数発生器」を用いて抽出した「乱数」による抽選の結果、「入賞」に至ったものであり、同様に、「当選パターンが出現しないよう設定された当選不可状態」は、抽選の結果、「入賞」とはならなかったものであるといえるから、引用発明１における「特別遊技状態に移行するための当選パターンが出現し得る当選可能状態と、当選パターンが出現しないよう設定された当選不可状態とに遊技状態を切り替える回路部分であ」る「遊技状態設定部４３」は、本願補正発明を特定する「入賞か否かの抽選を行う入賞抽選手段」に対応しているということができる。
　　　　　　　　　　　　　　　　　　　　　　　　　　　　　　　　　
　以上の事項より、本願補正発明と引用発明１とは以下の点で一致し、また相違していると認められる。
一致点；
筐体と、外周面に複数の図柄を表示した回転リールを有すると共に前記筐体に固定されるリールユニットと、前記リールユニットの駆動を開始させるためのスタートスイッチと、前記リールユニットの駆動を停止させるためのストップスイッチと、前記スタートスイッチ及び前記ストップスイッチの操作により、前記回転リールの回転及び停止を制御するための遊技制御装置とを備えるようにしたスロットマシンにおいて、前記遊技制御装置は、前記回転リールの回転速度を変更するためのリール回転速度制御手段を備え、スタートスイッチ操作後の前記回転リールの回転速度を変更するようにすると共に、前記遊技制御装置は、入賞か否かの抽選を行う入賞抽選手段を備えたスロットマシン、である点。　
相違点；
(A) スタートスイッチ操作後の回転リールの回転速度を変更するのが、
本願補正発明においては、所定の条件によりスタートスイッチ操作後の前記回転リールの回転速度を変更可能に形成すると共に、入賞抽選手段による抽選結果が前記入賞である場合に入賞フラグが成立し、前記入賞フラグ成立中に、前記リールユニットの前記回転リールの停止図柄の組合せが、予め定められた所定の入賞図柄と一致したことを条件に遊技者に利益を付与するように設定し、前記入賞フラグ成立を条件として、回転リールの回転速度を変更可能に形成したのに対して、
引用発明１においては、当選可能状態のとき、ドラム（回転リール）の回転速度を遅くするものであり、遊技状態設定部は、特別遊技状態に移行するための当選パターンが出現し得る当選可能状態と、当選パターンが出現しないよう設定された当選不可状態とに遊技状態を切り替えるものであり、当選可能状態に切り替えたとき入賞フラグを成立させるものか明らかでなく、入賞フラグ成立を条件として、回転リールの回転速度を変更可能に形成したものか明らかでない点。
(B) 回転速度の変更の有無に係わらず、本願補正発明はストップスイッチの操作から回転リールの回転停止までの時間を一定時間としたのに対して、引用発明１はストップボタンの操作からドラムの回転停止までの時間を一定時間としたものか明らかでない点。　　　　　　　　　　　　　　　　　　　　　　　　　                
（３）判断
　上記の相違点について検討する。
(３-1) (A)の相違点について
　入賞抽選手段により入賞を決定するスロットマシンにおいて、入賞抽選手段による抽選結果が入賞である場合に入賞フラグを成立させ、前記入賞フラグ成立中に、リールユニットの回転リールの停止図柄の組合せが、予め定められた所定の入賞図柄と一致したことを条件に遊技者に利益を付与するように設定することは、スロットマシンにおける入賞抽選処理における常套手段（必要あれば、下記に追加する周知例２ないし４があげられる。）であり、上記した入賞抽選処理における常套手段を勘案すると、引用発明１においても、「遊技状態を当選可能状態に切り替えたとき」は抽選により「入賞」が決定されたときであって、実質上、入賞フラグが成立しており、入賞フラグ成立中に、「第１〜第３のドラム３０ａ、３０ｂ、３０ｃ」の停止図柄の組合せが、予め定められた所定の入賞図柄と一致したことを条件に遊技者に利益を付与するように設定されているということができる。
　そして同引用発明１は、「遊技状態が当選可能状態のとき、遊技状態が当選不可状態のときに比べて、第１〜第３のドラム３０ａ、３０ｂ、３０ｃの回転速度を遅くする」よう構成されており、上記したように、「遊技状態が当選可能状態のとき」には、実質上、入賞フラグが成立しているから、「遊技状態が当選可能状態のとき」に「ドラム３０ａ、３０ｂ、３０ｃの回転速度」を「遅くする」（「変更する」）制御も、入賞フラグ成立を条件として行われるものといえる。
　ところで、引用発明１は「ドラム３０ａ、３０ｂ、３０ｃの回転速度」を「遅くする」制御を行うものであり、上記(iii)に記載したように、「回転速度」を「変更
する
可能に
可能に
　以上より、(A)の相違点に係る本願補正発明の発明特定事項に格別な技術的困難性は認められない。
　　　　　　　　　　　　    　　　　　　　　　　　　　　　　　　　
(３-2) (B) の相違点について
　原審における拒絶の査定において例示（上記周知例１）されたように、スロットマシンにおいて、回転リールを停止するためのストップスイッチの操作から実際に該回転リールが停止するまでの最長時間は決められており、これは下記の参考例に示すように法令が定めるところによるものであって、引用発明１にも適用されるものである。
　そして引用発明１において、決められた回転ドラム（回転リール）の最長停止時間内で、ストップスイッチの操作から実際に回転ドラム（回転リール）が停止するまでの時間を一定時間とすることは、回転ドラム（回転リール）の回転速度制御におけるパラメータを少なくし、制御を簡易化することからも、当業者が通常行う設計的事項にすぎない。
　　　　　　　　　　　　　　　　　　　　　　　　　　　　　　　　　
　ここで、審判請求人は、その審判請求書の補正書（第２−３頁）において、「本願発明は、回転リールの定常回転中の速度を変更させて、
　　　　　　　　　　　　　　　　　　　　　　　　　　　　　　　　　
　　　　　　　ねらいの程度　停止までのコマ数　　　　　結　論　　　
高回転速度　　ねらい難い　　　　多  い　　　 ねらい難いが引き込み大
通常回転速度　　普　通　　　　　普　通　　　　　　　　普　通　　　
低回転速度　　ねらい易い　　　　少ない　　　ねらい易いが引き込み小
　　　　　　　　　　　　　　　　　　　　　　　　　　　　　　　　　
のような関係を形成している。
　このような本願発明の課題あるいは解決手段、特にねらいの程度を含めた課題及び解決手段は・・・（原査定における拒絶の理由に引用されたいずれの文献にも）記載がなく、かつ示唆もない」旨を主張している。
　よって検討するに、引用発明１は「第１〜第３のドラム（「回転リール」）の回転速度を遅くする」制御を行うことで、「目押しをすることができるようにし」、通常の回転速度で回転するスロットマシンよりもねらい易くしたものである。
　さらに原審における拒絶の査定において例示された上記周知例１は、回胴の定常回転速度および停止最長時間を変えずに、停止指示手段（本願補正発明における「ストップスイッチ」に対応する。）の操作時点から回胴を停止するまでの間に、一時的に回転速度を変化させて、停止可能な図柄のコマ数を変え、入賞ライン上に出現できる図柄の数、すなわち、引き込み可能な図柄の数を変更可能とした回胴式遊技装置であって、決められた停止最長時間内での回転リールの回転速度の変化と、それに伴う出現コマ数の変化、すなわち、引き込み可能な図柄の数の変化との関係は当業者にとって周知である。しかも上記の関係は、「停止指示手段」（「ストップスイッチ」）の操作時点から回胴を停止するまでの間に限った関係ではなく、スタートスイッチ操作後の回転リールの回転速度の変化と、回転リールの回転により出現するコマ数の変化との関係にも当てはまる関係であることは当業者にとって自明な事項であり、回転リールの回転速度を変更させれば、回転リールの回転により出現するコマ数が変更され、それに伴ってねらい易さの程度が変更されるとともに、停止指示手段（「ストップスイッチ」）の操作時点から回胴が停止するまでの停止最長時間内で引き込み可能な図柄の数も変更されることもまた、当業者にとって自明な事項であるということができる。
　そして引用発明１に接した当業者は、「第１〜第３のドラム（「回転リール」）の回転速度を遅くする」制御を行うことで「目押し」を可能として、通常のスロットマシンよりもねらい易くした引用発明１において、「回転速度を遅くする」制御よりもさらに広義の概念である、「回転速度を変更する」制御を行えば、該「回転速度の変更」に伴ってねらい易さの程度が変更され、また、停止までに入賞ライン上に出現できる図柄のコマ数が変更されることで引き込みの程度も変更されるであろうと容易に予測するものであるから、審判請求人が審判請求書で主張している本願補正発明の課題及び解決手段は格別な技術的意義を有するものとはいえず、審判請求人の上記主張には理由がない。
　　　　　　　　　　　　　　　　　　　　　　　　　　　　　　　　　
　そして、本願補正発明の効果も、上記したように、引用発明１並びに引用発明２及び周知技術から当業者が予測しうる範囲内のものであって、格別顕著なものとはいえない。
　したがって、本願補正発明は、引用発明１並びに引用発明２及び周知技術に基いて、当業者が容易に発明をすることができたものである。　　　　　　　　　　　　　　　　　　　　　　　　　　　　　　　　　　　　　　
【追加の周知例】
２．特開平７−５１４３１号公報
　ボーナスゲームを行わせるボーナス図柄が出現する場合にボーナスフラグが出力され、このボーナスフラグが発生した状態で「ストップスイッチ４０〜４２」が操作され、停止した回転リールに表示された図柄の組み合わせがボーナス図柄であれば入賞となり、遊技者に所定枚数のメダルを払い出す、スロットマシン。（段落【０００２】【００２３】）
　　　　　　　　　　　　　　　　　　　　　　　　　　　　　　　　　
３．特開平８−２８０８７３号公報
　入賞判定の結果、入賞と判定されると入賞フラグをセットし、遊技者が「ストップボタン１２，１３，１４」を操作すると、セットされた入賞フラグの種類に応じてリールの停止制御を行い、リールの停止時の表示が所定の入賞図柄であれば所定枚数のコインを払い出す、スロットマシン。（段落【００６０】【００６４】【００９３】）
　　　　　　　　　　　　　　　　　　　　　　　　　　　　　　　　　
４．特開平１０−３３７５０号公報
　内部抽選手段による抽選結果が入賞であることを条件に、入賞フラグを発生させるフラグ発生手段を備え、入賞時には遊技者に賞メダルを付与されるスロットマシン。（特許請求の範囲、【００２５】）
　　　　　　　　　　　　　　　　　　　　　　　　　　　　　　　　　
【参考例】
　「遊技機の認定及び型式の検定等に関する規則」　
備考　
別表第５　「回胴式遊技機に係る技術上の規格（第６条関係）」には、
「(1) 性能に関する規格」
「イ 回胴の回転に係る遊技機の性能に関する規格は、次のとおりとする。」として、
「(ヘ) 回胴の回転は、停止ボタン等を操作した後、１９０ms以内に停止するものであること。」とされている。　　　　　　　　　　　　　　　
　　　　　　　　　　　　　　　　　　　　　　　　　　　　　　　　　
（４）むすび
　したがって、本件補正は、平成１５年改正前の特許法第１７条の２第５項において準用する同法第１２６条第４項の規定に違反するので、同法第１５９条第１項において読み替えて準用する同法第５３条第１項の規定により却下すべきものである。 
　　　　　　　　　　　　　　　　　　　　　　　　　　　　　　　　　
３．本願発明について
　平成１４年８月２１日付けの手続補正は上記のとおり却下されたので、本願の請求項１に係る発明（以下、「本願発明」という。）は、平成１４年２月１８日付け手続補正書の特許請求の範囲の請求項１に記載された事項により特定される、以下のとおりのものである。
「筐体と、
　外周面に複数の図柄を表示した回転リールを有すると共に前記筐体に固定されるリールユニットと、
　前記リールユニットの駆動を開始させるためのスタートスイッチと、
　前記リールユニットの駆動を停止させるためのストップスイッチと、
　前記スタートスイッチ及び前記ストップスイッチの操作により、前記回転リールの回転及び停止を制御するための遊技制御装置とを備えるようにしたスロットマシンにおいて、
　前記遊技制御装置は、前記回転リールの回転速度を変更するためのリール回転速度制御手段を備え、
　所定の条件により前記回転リールの回転速度を変更可能に形成すると共に、
　回転速度の変更の有無に係わらず、ストップスイッチの操作から回転リールの回転停止までの時間を一定時間とし、
　かつ前記遊技制御装置は、入賞か否かの抽選を行う入賞抽選手段を備え、
　前記入賞抽選手段による抽選結果が前記入賞である場合に入賞フラグが成立し、前記入賞フラグ成立中に、前記リールユニットの前記回転リールの停止図柄の組合せが、予め定められた所定の入賞図柄と一致したことを条件に遊技者に利益を付与するように設定し、
　前記入賞フラグ成立を条件として、前記回転リールの回転速度を変更可能に形成したことを特徴とするスロットマシン。」
　　　　　　　　　　　　　　　　　　　　　　　　　　　　　　　　　
（１）引用発明
　原査定の拒絶の理由に引用された、本願の出願前に頒布された刊行物及び例示された周知例は、前記「２．（１）」に記載したとおりである。
　　　　　　　　　　　　　　　　　　　　　　　　　　　　　　　　　
（２）対比・判断
　本願発明は、前記２．で検討した本願補正発明から「前記回転リールの回転速度」の限定事項である「スタートスイッチ操作後の」の構成を省いたものである。
　そうすると、本願発明の構成要件を全て含み、さらに他の構成要件を付加したものに相当する本願補正発明が、前記「２．（３）」に記載したとおり、引用発明１並びに引用発明２及び周知技術に基づいて、当業者が容易に発明をすることができたものであるから、本願発明も、同様の理由により、引用発明１並びに引用発明２及び周知技術に基いて当業者が容易に発明をすることができたものである。
　　　　　　　　　　　　　　　　　　　　　　　　　　　　　　　　　
（３）むすび                               　　　　　　　　　　　 
　以上のとおり、本願発明は、引用発明１並びに引用発明２及び周知技術に基いて、当業者が容易に発明をすることができたものであるから、特許法第２９条第２項の規定により特許を受けることができない。
　よって、本願の他の請求項について論じるまでもなく、結論のとおり審決する。